(57)【要約】【課題】簡単な構造で確実に表示部を保護し、バーコード等をきれいに保つことができる包装用箱を提供する。【解決手段】一枚のブランクシートから一体的に打ち抜かれた箱体形成片１２から成る。箱体形成片１２には、互いに平行に連接された側面１４，１６，１８，２０と、側面１４，２０を連接させる糊付部７２と、内容物に関する表示部７４が形成された表示片６８を備える。表示片６８は、組み立て状態で側面１４の内側に位置し、表示片６８の外側に位置する側面１４には、表示部７４が露出する開口部３８を備える。【選択図】図１
2008179381.tif 000002
【特許請求の範囲】
【請求項１】
一枚のブランクシートから一体的に打ち抜かれた箱体形成片から成り、この箱体形成片には、互いに平行に連接された側面と、前記側面を連接させる表示片と、内容物に関する表示部が形成された表示片が設けられ、前記表示片は組み立て状態で前記側面の内側に位置し、前記表示片の外側に位置する前記側面には、前記表示部が露出する開口部が設けられていることを特徴とする包装用箱。
【請求項２】
前記箱体形成片には、前記側面を連接させる糊付部が設けられ、前記糊付部は前記表示片に設けられていることを特徴とする請求項１記載の包装用箱。
【請求項３】
前記表示部は、前記表示片の面にインキを印刷して形成されたインキ部と、前記インキ部にレーザ光を照射して前記インキ部を部分的に除去した白抜き部が設けられていることを特徴とする請求項１又は２記載の包装用箱。
【発明の詳細な説明】
【技術分野】
【０００１】
この発明は、バーコード等の細かい印刷表示部が設けられている包装用箱に関する。
【背景技術】
【０００２】
従来、商品を包装して店頭に陳列する包装用箱には、バーコードが印刷されたものがあり、商品の情報をバーコードに記録して、商品の管理を容易にしている。近年、バーコードの一種でＲＳＳコードが用いられ、ＲＳＳコードは細かい図柄で設けられている。ＲＳＳコードの形成方法として、包装用箱の表面に黒いインキを印刷し、レーザ装置でレーザ光を照射して熱でインキを部分的に除去した白抜き部を形成することにより、ＲＳＳコード等のバーコードを形成することが可能である。また、高精度のインクジェットプリンタによってもバーコードを形成することは可能である。しかし、搬送などの際にバーコード等の表示部に摩擦が加えられると、インキ部がこすられてインキが白抜き部に付着したり、印刷部分のインキが剥がれたりして汚くなることがあり、またＲＳＳコード等の表示が不鮮明になる恐れがあった。
【０００３】
ここで、包装用箱の印刷を摩擦から保護する方法として、特許文献１〜特許文献４に開示されているものがある。特許文献１のダンボール及びダンボールの抜き型は、バーコードを印刷したダンボール箱であり、凹部が形成されこの凹部の底面に情報が表示されている。特許文献２の包装箱は、包装箱の外装面の一部に凹部を設け、この凹部に商品コードを付している。特許文献３の梱包箱は、梱包箱本体の表面から凹んだ位置に、印刷された表示部が露出している。特許文献４のプラスチック製輸送箱は、プラスチック製箱の周面へ貼着する薄片と同一形状の浅い凹部が形成され、凹部へバーコードを記した薄片を貼着したものである。いずれの方法も、凹み面に表示部が位置しているため、搬送などの際に摩擦が加えられることはなく、表示部が不鮮明になることを防ぐことができる。
【特許文献１】特開平５−３０５６８６号
【特許文献２】特開昭６１−２７３３３８号
【特許文献３】実開平１−１０３５１５号
【特許文献４】実開昭５２−１０１６４３号
【発明の開示】
【発明が解決しようとする課題】
【０００４】
上記従来の技術の場合、箱体の側面に凹み面を十分な深さに形成することは困難であり、凹み面が浅いと捺印表示が摺れることがあり、確実に表示部を保護することはできない恐れがある。特許文献３の実施形態には、梱包箱本体に透孔である表示部を設け、透孔の裏側に、バーコードが印刷された板を重ねる方法が開示されている。これによれば、箱体の側面から十分な深さにバーコードを印刷することができるが、別体の板を設けたり板を取り付けたりしなければならず、内側の印刷部分の紙片が安定せず、コストも掛かるものであった。
【０００５】
この発明は、上記従来の技術の問題点に鑑みてなされたものであり、簡単な構造で確実に表示部を保護し、バーコード等をきれいに保つことができる包装用箱を提供することを目的とする。
【課題を解決するための手段】
【０００６】
本発明は、一枚のブランクシートから一体的に打ち抜かれた箱体形成片から成り、この箱体形成片には、互いに平行に連接された側面と、前記側面を連接させる表示片と、内容物に関する表示部が形成された表示片が設けられ、前記表示片は組み立て状態で前記側面の内側に位置し、前記表示片の外側に位置する前記側面には、前記表示部が露出する開口部が設けられている包装用箱である。
【０００７】
前記箱体形成片には、前記側面を連接させる糊付部が設けられ、前記糊付部は前記表示片に設けられている。
【０００８】
前記表示部は、前記表示片の面にインキを印刷して形成されたインキ部と、前記インキ部にレーザ光を照射して前記インキ部を部分的に除去した白抜き部が設けられている。
【発明の効果】
【０００９】
本発明の包装用箱は、簡単な構造でＲＳＳコード等の表示部を擦過等から保護し、包装用箱側面の表示部を明瞭且つきれいに保ち、またＲＳＳコード等の表示形状を維持して医薬品や食料品等の商品の情報を正確に読み商品を管理することができる。包装用箱は、一枚の箱体形成片で設けられるため、コストがかからず、組立工程も簡単である。
【発明を実施するための最良の形態】
【００１０】
以下、この発明の実施形態について図面に基づいて説明する。図１〜図４はこの発明の一実施形態を示すもので、この実施形態の包装用箱１０は、紙等で作られた一枚のブランクシートを打ち抜いて形成された箱体形成片１２を組み立てて設けられている。
【００１１】
図３は箱体形成片１２を表面から見た展開図であり、箱体形成片１２は、側面１４，１６，１８，２０が、互いに平行に連接して形成されている。側面１４，１６，１８，２０は、連接している幅方向はほぼ同じ長さであり、連接方向の長さは側面１６，２０が少し長く形成されている。側面１４，１６，１８，２０は、各々折罫線２２，２４，２６で区切られている。
【００１２】
側面１４において、側面どうしの連接方向に対して直角な方向の一端部には、台形状のフラップ３４が、折罫線３６で区切られて設けられている。側面１４の、折罫線３６と折罫線２２に近い部分に、矩形の開口部３８が形成されている。側面１４の、折罫線３６と反対側の端部には、台形状のフラップ４０が、折罫線４２で区切られて設けられている。
【００１３】
側面１８の、側面１４の折罫線３６のほぼ延長線上に位置する端部には、台形状のフラップ４４が、折罫線４６で区切られて設けられている。側面１８の、折罫線４６と反対側の端部には、台形状のフラップ４８が、折罫線５０で区切られて設けられている。
【００１４】
側面２０の、側面１８の折罫線４６に隣接する端部には、蓋片５２が折罫線５４で区切られて設けられている。蓋片５２の折罫線５４の反対側の端部には、さらに差込片５６が折罫線５８で区切られて設けられている。側面２０の、折罫線５４と反対側の端部には、蓋片６０が折罫線６２で区切られて設けられている。蓋片６０の折罫線６２の反対側の端部には、さらに差込片６４が折罫線６６で区切られて設けられている。
【００１５】
側面２０の、側面１８と反対側の側縁部には、包装用箱１０の組立状態で側面１４の裏面に糊付けされる表示片６８が折罫線７０で区切られて設けられている。表示片６８の大きさは、側面１４よりも僅かに小さく形成され、折罫線７０と反対側の側縁部６８ａが、折罫線７０より短い台形に形成されている。表示片６８の、折罫線７０に近い部分には、折罫線７０に対してほぼ平行な帯状の糊付部７２が設けられている。糊付部７２と側縁部６８ａの間には、側面２０の折罫線５４に近い位置、つまり図面の上方寄りに、表示部７４が設けられている。表示部７４は、黒いインキが塗布されたインキ部７４ａと、インキが除去されてブランクシート１２が露出する白抜き部７４ｂにより形成され、ＲＳＳコード等が形成されている。表示部７４は、包装用箱１０を組み立てたときに側面１４の開口部３８に対向する部分に設けられ、開口部３８よりもやや大きく設けられている。
【００１６】
表示部７４の形成方法は、図４に示すように箱体形成片１２の表面に黒いインキを一面に塗布してインキ部７４ａを設け、インキ部７４ａの所定位置に、レーザ装置７６でレーザ光７８を照射し、熱でインキを除去して白抜き部７４ｂを形成するものである。
【００１７】
次に、この実施形態の包装用箱１０の組立方法の一例について説明する。なお、ここでは図３が包装用箱１０の箱体形成片１２の表面を見たものであり、箱体形成片１２の表面が凸になる折り方を正折り、そして裏面が凸になる折り方を逆折りと称する。
【００１８】
まず、折罫線２６を正折りして表示片６８の糊付部７２に糊を塗布する。次に、折罫線２２を正折りし、側面１４の裏面が糊付部７２により表示片６８の表面に糊付けされる。このとき、表示片６８の表示部７４が、側面１４の開口部３８に露出する。しかし、表示部７４は、側面１４表面よりも箱体形成片１２の厚み分がくぼんでいる。
【００１９】
次に、商品を収容し包装する工場等において、折罫線２２，２４，２６，７０を各々９０度に正折りして四角形の箱体にする。次に、折罫線３６，４６でフラップ３４，４４を９０度に正折りし、その後折罫線５４で蓋片５２を９０度に正折りし、差込片５６を折罫線５８で正折りし、差込片５６を側面１６の裏面側に差し込んで係止し、一方の端面が形成される。さらに、折罫線４２，５０でフラップ４０，４８を９０度に正折りし、折罫線６２で蓋片６０を９０度に正折りし、差込片６４を折罫線６６で正折りし、差込片６４を側面１６の裏面側に差し込んで係止し、他方の端面が形成される。なお、箱体形成片１２を組み立てる順番はこれ以外でもよく、適宜変更可能である。
【００２０】
商品が入れられた包装用箱１０は、例えば同形の包装用箱１０を大きい箱体に詰めて運搬され、保管される。そして店頭等に陳列される。なお、表示部７４の形成は、商品を収納後にレーザ装置７６を用いて行っても良いものである。
【００２１】
この実施形態の包装用箱１０によれば、運搬や保管、陳列などの際に、ＲＳＳコード等が形成された表示部７４を箱同士の摩擦から保護することができる。表示部７４は、側面１４の裏面に接着された表示片６８に設けられ、側面１４の開口部３８に露出して見えるため、側面１４表面よりも側面１４の厚み分がくぼんでいるため、表示部７４が運搬や保管、陳列の際に、隣接する同形の包装用箱１０や梱包用の箱等に接触することがなく、安全である。また、摩擦によって、インキ部７４ａのインキが白抜き部７４ｂや表示部７４の周囲に付着したりインキ部７４ａが剥げたりすることを防ぎ、包装用箱１０をきれいに保つ。また、ＲＳＳコードの形状を維持して医薬品や食料品等の商品の情報を正確に読み商品を管理することができる。包装用箱１０は、一枚の箱体形成片１２で設けられるため、コストがかからず、組立工程も簡単である。
【００２２】
なお、この発明は上記実施の形態に限定されるものではなく、表示部は、ＲＳＳバーコード以外の図柄でもよい。箱体形成片のブランクシートは、紙以外に樹脂シート等でもよい。また、箱体の形状は、収容する商品に合わせて適宜変更可能であり、開口部と表示部の位置や数も、自由に変更可能である。例えば、フラップや差込片に表示部が設けられてもよく、この場合フラップや差込片が重ねられる蓋片や側面に開口部が設けられる。また、バーコードの形成を高精度インクジェットプリンタにより行っても良いものである。
【図面の簡単な説明】
【００２３】
【図１】この発明の一実施形態の包装用箱の斜視図である。
【図２】この実施形態の包装用箱の横断面図である。
【図３】この実施形態の包装用箱の展開図である。
【図４】この実施形態の包装用箱の表示部の形成方法を示す概略図である。
【符号の説明】
【００２４】
１０  包装用箱
１２  箱体形成片
１４，１６，１８，２０  側面
３８  開口部
６８  表示片
７２  糊付部
７４  表示部
７４ａ  インキ部
７４ｂ  白抜き部
【図１】
2008179381.tif 000003
【図２】
2008179381.tif 000004
【図３】
2008179381.tif 000005
【図４】
2008179381.tif 000006